(57)【要約】【課題】光学ドライブ内における光ディスクのレーベルを容易に表示させることができ、かつ安価に実現できる光ディスクレーベル表示機構を提供する。【解決手段】回転監視部２４からの回転情報の出力により、スイッチ２５の切り替えを行い、スイッチ２５の切り替えにより電源からＬＥＤ５０に電力を供給し、この電力が供給されたＬＥＤ５０から光を照射し、照射された光をレーベル１０で反射させ、その反射光を透過型スクリーン５１ａの後面に投影することにより、同スクリーンの前面にレーベル１０の像を表示させる。【選択図】図４
2008269707.tif 000002
【特許請求の範囲】
【請求項１】
光ディスクを光学ドライブ内に収納するためのディスクトレイと、
前記光ディスクを回転させるためのスピンドルモータと、
前記光ディスク面上のレーベルに対し光を照射するための照射部と、
前記レーベルを表示するための表示部と、
を備えた光学ドライブの光ディスクレーベル表示機構において、
前記表示部は、前記レーベルを表示するためのスクリーンを有しており、
前記照射部より照射された光は、前記レーベルで反射された後、前記スクリーンへ投影され、前記スクリーンへ投影された反射光により前記レーベルの像が表示されることを特徴とする光ディスクレーベル表示機構。
【請求項２】
請求項１に記載の光ディスクレーベル表示機構において、
前記レーベルが、光を反射する反射材で作成された反射レーベルと、光を反射しない非反射材により作成された非反射レーベルとによって構成されることを特徴とする光ディスクレーベル表示機構。
【請求項３】
請求項１に記載の光ディスクレーベル表示機構において、
前記照射部に対しての正面位置を示す正面表示部が、前記ディスクトレイ上に設けられていることを特徴とする光ディスクレーベル表示機構。
【請求項４】
請求項１に記載の光ディスクレーベル表示機構において、
前記スクリーンは、スクリーンの後面に投影することにより、スクリーンの前面に映像を表示する透過型スクリーンであることを特徴とする光ディスクレーベル表示機構。
【請求項５】
請求項１または請求項３に記載の光ディスクレーベル表示機構において、
前記照射部は、前記レーベルに対して光を照射するための光源と、この光源を駆動するための駆動手段とを備え、
前記駆動手段は、前記スピンドルモータに接続された回転監視部と、前記回転監視部に接続されたスイッチとにより構成され、
前記回転監視部は、前記スピンドルモータが回転開始時から１回転するごとに回転情報の検出および出力を行い、
前記スイッチは、前記回転監視部からの回転情報の出力に連動して切り替わることにより、前記光源への電力供給の開始または停止を行い、
前記光源は、前記スイッチの切り替えによって電力を供給され、前記光ディスク面上の前記レーベルに光を照射することを特徴とする光ディスクレーベル表示機構。
【請求項６】
請求項１または請求項３に記載の光ディスクレーベル表示機構において、
前記レーベルの中心位置を示す中心表示部が、前記光ディスク面上に設けられていることを特徴とする光ディスクレーベル表示機構。
【発明の詳細な説明】
【技術分野】
【０００１】
本発明は、光ディスク面上のレーベルに対し光を照射し、レーベルで反射された反射光をスクリーンに投影することにより、反射光により形成されるレーベルの像をスクリーンに表示させる光ディスクレーベル表示機構に関する。
【背景技術】
【０００２】
ＣＤ（Compact Disc）、ＤＶＤ（Digital Versatile Disk）、ＢＤ（Blu-ray Disc；登録商標）などの光ディスクには、映像や音声が記録され、商用品として製作された光ディスクや、記念写真や文書など個人データ保存の目的で作成された光ディスクなどがあり、これら光ディスクのディスク面上には、記録された情報の概略などを記載したレーベルの印字または貼付がなされることがある。
【０００３】
このレーベルは、光ディスクに記録された情報を確認または推認する上で大変重要な役割を有しているが、光学ドライブ内に光ディスクが収納されている場合においては、外部から視認できないため、その役割を果たすことができない。
【０００４】
また、仮に外部から視認するための確認窓などが光学ドライブに設けられている場合でも、光ディスクがスピンドルモータによって高速回転を行っておれば視認することはできないため、その際は、光ディスクに記録された情報の読み込みを行うことにより名称などを表示する。
しかしながら、上述の表示方法では、光ディスクの読み込みに時間を要するため、光ディスクに記録された情報の概略などをすぐに確認することはできない。
【０００５】
この問題を解決すべく、後掲の特許文献１では、光学ドライブ内に一次元イメージセンサが設けられており、この一次元イメージセンサは、光学ドライブ内に光ディスクを収納する際の収納動作に連動して動作し、光ディスク面上のレーベルを二次元画像として読取り、この読取りにより得られた画像は記録媒体であるメモリなどに保存され、必要に応じて画像表示装置に出力される。
また、本文献には、一次元イメージセンサに代えて、二次元イメージセンサによる読取り方法も記載されている。
【０００６】
後掲の特許文献２では、レーベル読取り手段として上述の特許文献１に記載されたイメージセンサの他にＣＣＤ（Charge Coupled Devices）カメラなどの撮像装置が挙げられており、この撮像装置で光ディスク面上のレーベルを読取り、読取りにより得られた画像を記録媒体であるメモリなどに保存し、必要に応じて画像表示装置に出力する方法が記載されている。
【０００７】
また、後掲の特許文献３では、上述の特許文献１または特許文献２と同様にレーベル読取り手段としてイメージセンサが用いられており、このイメージセンサにより得られた画像が正立像でない場合は、ディスクモータを回転させることで微調整を行い、正立像を得るための補正手段も併せて記載されている。
【０００８】
【特許文献１】特開平３−５９８６５号公報
【特許文献２】実開平５−４３３８３号公報
【特許文献３】特開昭５９−１８０８６７号公報
【発明の開示】
【発明が解決しようとする課題】
【０００９】
上記の各特許文献１〜３においては、光ディスク面上のレーベルを読取るための手段としてイメージセンサやＣＣＤカメラなどの読取装置が用いられており、これらの読取装置を用いて光ディスク面上のレーベルを読取り、読取りにより得られた画像を記録媒体であるメモリなどに保存し、必要に応じてテレビ受像機などの画像表示装置に表示する方法が採られている。
しかしながら、これらの方法では、読取り手段としてイメージセンサやＣＣＤカメラが用いられているため、低コストで実現することは困難であり、また、記録媒体であるメモリなども必要となることから、同様に、低コストでの実現は困難である。このため、市場に流通し易い、安価な光学ドライブを製作することができない。
また、レーベルを表示するためにテレビ受像機などの画像表示装置を要するため、使用者にとって必ずしも簡便な表示方法とは言い難い。
【００１０】
本発明は、上述した問題点に鑑み、光学ドライブ内における光ディスクのレーベルを容易に表示させることができ、かつ安価に実現できる光ディスクレーベル表示機構を提供することを課題とする。
【課題を解決するための手段】
【００１１】
本発明に係る光ディスクレーベル表示機構は、光ディスクを光学ドライブ内に収納するためのディスクトレイと、光ディスクを回転させるためのスピンドルモータと、光ディスク面上のレーベルに対し光を照射するための照射部と、レーベルを表示するための表示部とを備えた光学ドライブにおいて、この光学ドライブ内に収納された光ディスクのレーベル表示を行うものであって、
表示部は、レーベルを表示するためのスクリーンを有しており、照射部より照射された光は、レーベルで反射された後、スクリーンへ投影され、スクリーンへ投影された反射光によりレーベルの像が同スクリーンに表示される。
【００１２】
このようにすることで、スクリーンに投影された反射光によって、レーベルの像が同スクリーンに表示されるため、光学ドライブ内に収納された光ディスクのレーベルを容易に確認することができ、また、レーベルの表示に際してイメージセンサなどの読取り装置を用いる必要がないため、簡単かつ安価なレーベル表示機構を実現することができる。
また、光学ドライブに収納された光ディスクのレーベル確認に際し、光学ドライブから再度ディスクトレイを引き出す必要がないため、簡便なレーベル表示機構を実現することができる。
【００１３】
また、本発明では、光ディスク面上に設けられたレーベルは、光を反射する反射材で作成された反射レーベルと、光を反射しない非反射材により作成された非反射レーベルとによって構成されている。
【００１４】
このようにすることで、スクリーンへ表示する情報に対しては、照射部からの光を反射する反射レーベルを使用し、スクリーンへ表示しない情報に対しては、照射部からの光を反射しない非反射レーベルを使用することができるため、スクリーン表示の要否によってレーベルの使い分けを行うことができる。
これにより、レーベルの作成に際して複雑な構造を必要としないため、容易かつ安価なレーベル表示機構を実現することができる。
【００１５】
また、本発明では、照射部に対しての正面位置を示す正面表示部が、ディスクトレイ上に設けられている。
【００１６】
このようにすることで、レーベルの中心を照射部の正面に位置させた上で、照射部からの光をレーベルに洩れなく照射することができ、また、その位置調整に際し、位置制御を行うための制御部などを設ける必要がないため、簡単かつ安価なレーベル表示機構を実現することができる。
【００１７】
また、本発明におけるスクリーンは、スクリーンの後面に投影することにより、同スクリーンの前面に映像を表示する透過型スクリーンである。
【００１８】
このように、レーベルの反射光を光学ドライブの内部に面しているスクリーンの後面に投影することにより、同スクリーンの前面にレーベルの像を表示させることができるため、スクリーン前方から投影を行う一般的なスクリーンとは異なり、ミラーなどの反射部材を複数枚用いて光を反射させる必要がなく、複雑な光学系を要しない。
よって、簡単なレーベル表示機構を実現することができる。
【００１９】
また本発明において、照射部は、レーベルに対して光を照射するための光源と、この光源を駆動するための駆動手段とを備えており、駆動手段は、スピンドルモータに接続された回転監視部と、この回転監視部に接続されたスイッチとにより構成されている。
ここで、回転監視部は、スピンドルモータが回転開始時から１回転するごとに回転情報の検出および出力を行い、スイッチは、回転監視部からの回転情報の出力に連動して切り替わることにより、光源への電力供給の開始または停止を行う。
そして、光源は、スイッチの切り替えによって電力を供給され、光ディスク面上のレーベルに光を照射する。
【００２０】
これにより、光源による光の照射が回転情報の出力時のみ行われるため、スクリーンに表示されたレーベルの像をぶれさせずに一定に保つことができ、また、駆動手段としてコストがかかる光センサや構造が複雑な装置を要しないため、簡単かつ安価なレーベル表示機構を実現することができる。
【００２１】
また本発明において、レーベルの中心位置を示す中心表示部が、光ディスク面上に設けられている。
【００２２】
これにより、レーベルの中心表示部とディスクトレイ上の正面表示部とが一直線上に位置した状態でディスクトレイに光ディスクを載置させることができるため、照射部から照射される光をレーベルに洩れなく照射することができる。
また、その位置調整に際し、位置制御を行うための制御部などを設ける必要がないため、簡単かつ安価なレーベル表示機構を実現することができる。
【発明の効果】
【００２３】
本発明によれば、光ディスク面上のレーベルに光を照射し、レーベルで反射した反射光をスクリーンに投影することによって、光学ドライブ内に収納された光ディスクのレーベルの像を容易に表示させることができるため、簡単かつ安価に実現できる光ディスクレーベル表示機構を提供することができる。
【発明を実施するための最良の形態】
【００２４】
以下、本発明の実施形態につき、図面を参照しながら説明する。
【００２５】
図１は、光ディスクの再生または記録を行う装置である光学ドライブの構成を示した図である。
図中において、１００は光ディスク、２００は上述の光学ドライブ、２０は光学ドライブ２００内に光ディスク１００を収納するためのディスクトレイ、２６はディスクトレイ２０を光学ドライブ２００内に収納するための収納口、２０ａは後述する凹部、５１ａは後述するスクリーンである。
【００２６】
図２は、本発明の実施形態に係る光ディスク１００および光ディスク１００を収納するディスクトレイ２０を示した図である。
図２では、図１と同一部分または対応する部分に同一符号を付してある。
図中において、１０は光ディスク面上にあるレーベル、１０ａはレーベル１０の構成要素であって光を反射する反射材で作成された反射レーベル、１０ｂはレーベル１０の構成要素であって光を反射しない非反射材で作成された非反射レーベルである。
【００２７】
２０ａは光ディスク１００を光学ドライブ２００へ収納する際にディスクトレイ２０に載置するための凹部、軸ａは凹部２０ａの中心を通り、ディスクトレイの収納方向に延びた軸、軸ｂは凹部２０ａの中心を通り、軸ａと直交する軸である。
【００２８】
３０ａはレーベル１０の中心位置（左右方向の中央位置）を示す中心表示部であって、光ディスク１００面上のレーベル１０側において光ディスク１００の中心とレーベル１０の中心とを結ぶ線上の位置に設けられている。
３０ｂは光ディスク１００に光を照射する照射部に対しての正面位置を示す正面表示部であって、ディスクトレイ２０上の収納口２６（図１）に向かって手前側において軸ａ上に設けられている。照射部の詳細に関しては、後述する。
【００２９】
ディスクトレイ２０に設けられた凹部２０ａに光ディスク１００を載置する場合は、中心表示部３０ａと正面表示部３０ｂが一直線上に位置し、かつ中心表示部３０ａと正面表示部３０ｂとの間の距離が最小となるように、中心表示部３０ａを軸ａ上に位置させる。
【００３０】
図３は、光学ドライブ２００の一例を示した図であり、この光学ドライブ２００内に光ディスク１００を収納した状態の内部側面図である。
図３では、図１または図２と同一部分または対応する部分に同一符号を付してある。
図中において、５０は本発明における光源の一実施形態であるＬＥＤ（Light Emitting Diode）、５１ａは本発明におけるスクリーンの一実施形態である透過型スクリーンである。
【００３１】
ＬＥＤ５０は、光学ドライブ２００内において天井部２００ａに設けられ、ＬＥＤ５０から照射される光が反射レーベル１０ａで反射して透過型スクリーン５１ａに入射するように、斜め下方を向いて取り付けられている。
また、透過型スクリーン５１ａは、スクリーンの後面が光学ドライブ２００の内部に面した状態で、収納口２６の上部に設けられている。
【００３２】
ＬＥＤ５０から照射された光は、一点鎖線で示すように反射レーベル１０ａで反射され、反射された光は透過型スクリーン５１ａの後面に投影され、投影された光によるレーベルの像が、同スクリーン５１ａの前面に表示される。
【００３３】
図４は、本発明の実施形態である光ディスクレーベル表示機構の一例を示した図である。
図４では、図３と同一部分または対応する部分に同一符号を付してある。
図中において、２１は光ディスク１００を回転させるためのスピンドルモータ、２２はスピンドルモータ２１に備えられた回転軸である。２３は回転軸２２の一端部に設けられ、光ディスク１００が載置されるターンテーブルであって、スピンドルモータ２１の回転時に回転軸２２とともに回転する。
【００３４】
また、２４は、スピンドルモータ２１を回転開始時から回転終了時まで監視し、スピンドルモータ２１が１回転するごとに回転情報を検出し、その回転情報の出力を行う回転監視部である。
２５は回転監視部２４に接続されており、回転監視部２４からの回転情報の出力に連動して電源からＬＥＤ５０への電力供給の開始または停止を行うスイッチである。
【００３５】
ここで、本発明における駆動手段は、回転監視部２４とスイッチ２５により構成され、本発明における照射部は、回転監視部２４およびスイッチ２５ならびにＬＥＤ５０より構成される。
【００３６】
次に、上述した実施形態におけるレーベルの表示手順について、図５のフローチャートを用いて説明する。
まず始めに、ステップＳ１で、中心表示部３０ａと正面表示部３０ｂが一直線上に位置し、かつ中心表示部３０ａと正面表示部３０ｂの間の距離が最小となる状態、すなわち、両表示部３０ａ，３０ｂが突合せ状態となるように、光ディスク１００を凹部２０ａに載置する。
これにより、レーベル１０の中心がＬＥＤ５０の正面に位置し、ＬＥＤ５０からの光を洩れなくレーベル１０に照射することができる。
【００３７】
次に、ステップＳ２で、図示しない操作ボタンを操作して、凹部２０ａに載置した光ディスク１００を光学ドライブ２００内に収納する。
【００３８】
光学ドライブ２００内に収納された光ディスク１００は、ターンテーブル２３に載置され、ステップＳ３で、スピンドルモータ２１によってターンテーブル２３および回転軸２２とともに回転を開始する。
【００３９】
ステップＳ４では、スピンドルモータ２１が回転開始から１回転したか否かを判別し、１回転しておれば（ステップＳ４：ＹＥＳ）、ステップＳ５へ進み、１回転していなければ（ステップＳ４：ＮＯ）、ステップＳ１０以下へ進む。
【００４０】
ステップＳ５では、スピンドルモータ２１が１回転したことを示す回転情報が、回転監視部２４からスイッチ２５に出力される。
【００４１】
ステップＳ６では、ステップＳ５での回転情報の出力に連動してスイッチ２５の切り替えが行われ、ＬＥＤ５０に電源からの電力が供給される。
【００４２】
ステップＳ７では、ステップＳ６で電力が供給されたＬＥＤ５０からレーベル１０へ光が照射される。
ここで、ＬＥＤ５０への電力供給は、スピンドルモータ２１が１回転するごとに行われるため、ＬＥＤ５０からの光はレーベル１０に常時照射されず、点滅状態で照射される。
【００４３】
照射された光は、レーベル１０の一構成要素である反射レーベル１０ａで反射され、反射された光は、ステップＳ８で、透過型スクリーン５１ａの後面へ投影され、図６に示すように、同スクリーンの前面にレーベル１０の像Ｉｍを表示する。
【００４４】
ステップＳ９では、ステップＳ８の後もスピンドルモータ２１が回転を継続しているか否かを判別し、回転を継続しておれば（ステップＳ９：ＹＥＳ）、再度ステップＳ４以下の動作に移行し、回転を停止しておれば（ステップＳ９：ＮＯ）、ＬＥＤ５０への電力供給が行われなくなるため、透過型スクリーン５１ａの前面に表示されたレーベル１０の像Ｉｍは消失し、非表示状態となる。
【００４５】
このように、上述した本発明の実施形態においては、ＬＥＤ５０からの光をレーベル１０で反射させ、その反射光を透過型スクリーン５１ａの後面に投影することにより、同スクリーンの前面にレーベル１０の像Ｉｍを表示させることができる。
このため、イメージセンサなどの読取り装置を設ける必要がなく、安価なレーベル表示機構を実現することができる
【００４６】
また、レーベル１０の表示に際し、テレビ受像機などの画像表示装置を要しないため、簡単なレーベル表示機構を実現することができる。
【００４７】
本発明では、上述した実施形態以外にも種々の実施形態を採用することができる。例えば、上記実施形態では、表示部に透過型スクリーン５１ａを設け、レーベル１０で反射した光を同スクリーンの後面に投影し、同スクリーンの前面にレーベル１０の像Ｉｍを表示させたが、図７に示すように、レーベル１０で反射した光をミラー５２を用いて反射させ、スクリーン５１ｂの前方から投影し、レーベル１０の像を同スクリーンの前面に表示させてもよい。
【００４８】
また、上述した実施形態において、レーベル１０に光を照射する光源としてＬＥＤ５０を用いたが、カメラ撮影などの際に用いられるストロボ装置などの発光装置を用いることも可能である。
【００４９】
さらに、本発明において、光源を駆動するための駆動手段を構成しているスイッチをリモート・コントロール装置などにより強制的にオフ状態にすることで、光ディスクの回転時におけるレーベル表示を任意的に非表示にすることができる。
【図面の簡単な説明】
【００５０】
【図１】光学ドライブの構成を示した図である。
【図２】本発明の実施形態に係る光ディスクおよびディスクトレイを示した図である。
【図３】光学ドライブの内部側面図である。
【図４】光ディスクレーベル表示機構を示した図である、
【図５】照射手順を示したフローチャートである。
【図６】スクリーンに表示されるレーベルの像の例である。
【図７】他の実施形態を示した図である。
【符号の説明】
【００５１】
１０ａ  反射レーベル
１０ｂ  非反射レーベル
３０ａ  中心表示部
３０ｂ  正面表示部
５０    ＬＥＤ
５１ａ  透過型スクリーン
２１    スピンドルモータ
２４    回転監視部
２５    スイッチ
１００  光ディスク
２００  光学ドライブ
Ｉｍ    レーベルの像
【図１】
2008269707.tif 000003
【図２】
2008269707.tif 000004
【図３】
2008269707.tif 000005
【図４】
2008269707.tif 000006
【図５】
2008269707.tif 000007
【図６】
2008269707.tif 000008
【図７】
2008269707.tif 000009